(57)【要約】【課題】オフィス等において好適に用いられる家具において、オプション取付部材を介してオプション部材を取り付ける際のオプション部材の配置の自由度の向上を図る。【解決手段】オプション取付部材たるダクト取付具５を介してオプション部材たる配線ダクト９１を取付対象の家具たる天板付家具に取り付けるオプション取付構造において、幅方向に離間して設けられる脚構造体２間に構造部材３を横架して設けているとともに、前記構造部材３を奥行き方向に離間させて複数設け、この構造部材３間にダクト取付具５を高さ方向位置及び幅方向位置を変更可能に掛け渡して取り付ける。【選択図】図４
2004267653.tif 000002
【特許請求の範囲】
【請求項１】
オプション部材を直接、又はオプション取付部材を介して家具に取り付けるオプション取付構造であって、幅方向に離間して設けられる脚構造体間に構造部材を横架して設けているとともに、前記構造部材を奥行き方向に離間させて複数設け、この構造部材間にオプション部材又はオプション取付部材を高さ方向位置及び幅方向位置を変更可能に掛け渡して取り付けることを特徴とするオプション取付構造。
【請求項２】
前記オプション部材又はオプション取付部材を高さ方向に離間させて複数取り付けることが可能であることを特徴とする請求項１記載のオプション取付構造。
【請求項３】
前記オプション部材又はオプション取付部材の幅方向位置が連続的に変更可能であることを特徴とする請求項１又は２記載のオプション取付構造。
【請求項４】
前記構造部材が、押し出し成形により形成された板状の部材であることを特徴とする請求項１、２又は３記載のオプション取付構造。
【請求項５】
前記構造部材に、前記オプション部材又はオプション取付部材の奥行き方向端部と凹凸係合ないし当接可能な取付部を押し出し成形により形成していることを特徴とする請求項４記載のオプション取付構造。
【請求項６】
前記オプション部材又はオプション取付部材を水平回転させる操作により、前記オプション部材又はオプション取付部材の奥行き方向端部と前記取付部とを凹凸係合させて前記オプション取付部材を前記構造部材間に掛け渡して取り付けるようにしていることを特徴とする請求項５記載のオプション取付構造。
【請求項７】
オプション取付部材を介してオプション部材を取り付けるようにしているものであって、前記構造部材に突条を押し出し成形により形成しているとともに、オプション取付部材の奥行き方向両端部に凹部を設け、これら凹部を前記突条と凹凸係合させることにより構造部材間に掛け渡して取り付け、オプション部材の幅方向両端部をこのオプション取付部材に支持させるようにしていることを特徴とする請求項５又は６記載のオプション取付構造。
【請求項８】
オプション部材をオプション取付部材を介して家具に取り付けるものであって、前記オプション取付部材の奥行き方向両端部を前記構造部材に凹凸係合ないし当接させることにより該オプション取付部材を構造部材間に掛け渡して取り付けるようにしているとともに、前記オプション取付部材を高さ方向に離間させて複数取り付けて相寄る方向に作用させて連結し、連結された前記オプション取付部材を介してオプション部材を取り付けるようにしていることを特徴とする請求項１、２、３、４、５、６又は７記載のオプション取付構造。
【請求項９】
幅方向に離間して設けられる脚構造体間に、構造部材を横架して奥行き方向に離間させて複数設けているとともに、前記構造部材に幅方向に延伸する突条又は係合溝を複数設け、この構造部材間にオプション部材又はオプション取付部材を高さ方向位置及び幅方向位置を変更可能に掛け渡して取り付け可能な構成を有し、奥行き方向両端を使用端としていることを特徴とする家具。
【請求項１０】
１対の天板を前記脚構造体に支持させ、かつ互いに奥行き方向に離間させて設けているとともに、前記１対の天板の互いに対向する端縁の奥行き方向位置を前記構造部材と略一致させていることを特徴とする請求項９記載の家具。
【発明の詳細な説明】
【０００１】
【発明の属する技術分野】
本発明は、オフィス等において好適に用いられる家具にオプション部材を取り付けるためのオプション取付構造、及びこのオプション取付構造を有する家具に関する。
【０００２】
【従来の技術】
従来から、オフィス等において好適に用いられる家具に取り付けるための種々のオプション部材が考えられている。そして、これらのオプション部材は、オプション取付部を介して家具に取り付けられる。このようなオプション部材をオプション取付部を介して家具に取り付ける構造として、例えば家具としてテーブルを用いるものであって、オプション取付部として中間樋を設けているとともに、このオプション取付部を介してオプション部材としてデスクトップパネルや配線保持部材を家具に取り付けるようにしているものが挙げられる。（例えば特許文献１を参照。）
【０００３】
【特許文献１】
特開平１１−１２７９６７号公報
【０００４】
【発明が解決しようとする課題】
上述の例のように構成したオプション取付部は、オプション部材を特定の位置に固定して十分な取付強度で取り付けるものである。
【０００５】
しかし、例えばオプション部材として配線ダクト等の配線保持部材を天板付家具に設ける場合、配線保持部材上に電源コンセントや情報コンセント等、更なるオプションを設ける要望がある。このような場合、オプション部材を使いやすい位置に配置する必要がある場合にはオプション部材の高さ方向位置は天板に近いことが望ましいが、高さ寸法が大きな更なるオプションを設けたい場合、オプション部材の高さ方向位置を天板に近くすると、前記更なるオプションが天板より上方に露出し、見栄えの点で好ましくない場合がある。一方、デスクトップパネルを天板付家具に設ける場合においても、この天板付家具の用途や、該天板付家具を主に利用する者の座高等に応じて、デスクトップパネルの高さ位置を変更することが望ましい場合がある。加えて、これらのオプション部材に共通して、幅方向位置が固定されていると場合によってはオプション部材を利用しにくい箇所が発生することがあり得る。これらの不具合は、上述した以外のオプション部材であっても、また、オプション部材を天板付家具以外に取り付ける場合であっても発生し得る。
【０００６】
一方、オプション部材を位置変更可能に取り付けるには、クランプを介してオプション部材を取り付ける態様が考えられる。しかし、このようなものでは、取付強度が十分でなく、オプション部材が外れてしまう不具合が発生し得る。
【０００７】
本発明は以上に述べた課題を解決し、十分な取付強度を確保しつつオプション部材の配置の自由度の向上を図るべく構成するものである。
【０００８】
【課題を解決するための手段】
すなわち本発明に係るオプション取付構造は、オプション部材を直接又はオプション取付部材を介して家具に取り付けるオプション取付構造であって、幅方向に離間して設けられる脚構造体間に構造部材を横架して設けているとともに、前記構造部材を奥行き方向に離間させて複数設け、この構造部材間にオプション部材又はオプション取付部材を高さ方向位置及び幅方向位置を変更可能に掛け渡して取り付けることを特徴とする。
【０００９】
このようなものであれば、オプション部材又はオプション取付部材を高さ方向位置及び幅方向位置を変更可能に掛け渡して取り付けることにより、オプション部材が、十分な取付強度を保ちつつ高さ方向位置及び幅方向位置を変更可能にできるようになる。すなわち、オプション部材の配置の自由度の向上を図ることができるようになる。
【００１０】
種々の使用態様に容易に対応させるための態様として、前記オプション部材又はオプション取付部材を高さ方向に離間させて複数取り付けることが可能であるものが挙げられる。このようなものであれば、オプション部材もまた高さ方向に離間させて複数取り付けることができるようになるからである。
【００１１】
オプション部材の配置の自由度をさらに向上させるための態様としては、前記オプション部材又はオプション取付部材の幅方向位置が連続的に変更可能であるものが挙げられる。このようなものであれば、該オプション取付部材を介して取り付けるオプション部材の幅寸法に応じて該オプション取付部材の幅方向位置を自由に設定できるからである。
【００１２】
このようなオプション部材の取付構造において、構造部材の製造及び取り付けの手間を軽減するための構成として、前記構造部材が、押し出し成形により形成された板状の部材であるものが挙げられる。このように構成した構造部材であれば、押し出し成形により一体的に形成されるからである。さらに、一体的に形成することにより構造部材自体の強度を確保できるようになるとともに、板状をなすので構造部材間に取り付ける前記オプション取付部材やオプション部材を目立たないようにして見栄えを整えることもできるようになる。
【００１３】
前記オプション部材又はオプション取付部材の構造部材への取付強度を確保しつつ、前記構造部材の製造を容易に行えるようにするための態様として、前記構造部材に、前記オプション部材又はオプション取付部材の奥行き方向端部と凹凸係合ないし当接可能な取付部を押し出し成形により形成しているものが挙げられる。このようなものであれば、前記構造部材にねじ孔等を設けなくとも、構造部材を押し出し成形により形成する際に取付部を同時に形成できるからである。
【００１４】
前記オプション部材又はオプション取付部材の構造部材への取り付けの手間を軽減できる態様として、前記オプション部材又はオプション取付部材を水平回転させる操作により、前記オプション部材又はオプション取付部材の奥行き方向端部と前記取付部とを凹凸係合させて前記オプション部材又はオプション取付部材を前記構造部材間に掛け渡して取り付けるようにしているものが挙げられる。このようなものであれば、オプション部材又はオプション取付部材を構造部材にねじ止めする手間を軽減できるからである。さらに、オプション部材又はオプション取付部材、及び構造部材にねじ孔を設ける必要がなくなるので、これらの製造の手間をも軽減できる。
【００１５】
このようなオプション取付構造の一具体例として、オプション取付部材を介してオプション部材を取り付けるようにしているものであって、前記構造部材に突条を押し出し成形により形成しているとともに、オプション取付部材の奥行き方向両端部に凹部を設け、これら凹部を前記突条と凹凸係合させることにより構造部材間に掛け渡して取り付け、オプション部材の幅方向両端部をこのオプション取付部材に支持させるようにしているものが挙げられる。このようなものであれば、前記突条と前記オプション取付部材の凹部とを凹凸係合させることはオプション取付部材を回転させることにより容易に行えるので、ねじ等の取付具を新たに用意することなくオプション取付部材を構造部材に取り付けることができるようになる。
【００１６】
また、柱状をなすオプション部材を取り付けるのに好適なオプション取付構造の一具体的例として、オプション部材をオプション取付部材を介して家具に取り付けるものであって、前記オプション取付部材の奥行き方向両端部を前記構造部材に凹凸係合ないし当接させることにより該オプション取付部材を構造部材間に掛け渡して取り付けるようにしているとともに、前記オプション取付部材を高さ方向に離間させて複数取り付け、相寄る方向に作用させて連結し、連結された前記オプション取付部材を介してオプション部材を取り付けるようにしているものが挙げられる。このようなものであれば、複数のオプション取付部材を相寄る方向に作用させて連結することにより、安定して構造部材間に取り付けることができるようになり、柱状をなすオプション部材をこのようなオプション取付部材を介してより安定して家具に取り付けることができるようになる。
【００１７】
そして、上述したようなオプション取付構造が好適に用いられる家具の一例として、幅方向に離間して設けられる脚構造体間に、構造部材を横架して奥行き方向に離間させて複数設けているとともに、前記構造部材に幅方向に延伸する突条又は係合溝を複数設け、この構造部材間にオプション部材又はオプション取付部材を高さ方向位置及び幅方向位置を変更可能に掛け渡して取り付け可能な構成を有し、奥行き方向両端を使用端としていることを特徴とする家具が挙げられる。このような天板付家具であれば、両使用端の中間に前記オプション部材を直接、又はオプション取付部材を介して取り付けることができるので、該オプション部材を両使用端から使用することができるようになる。
【００１８】
このような効果をさらに好適に得られる家具の構成として、１対の天板を前記脚構造体に支持させ、かつ互いに奥行き方向に離間させて設けているとともに、前記１対の天板の互いに対向する端縁の奥行き方向位置を前記構造部材と略一致させているものが挙げられる。
【００１９】
【発明の実施の形態】
以下に本発明の一実施形態について述べる。
【００２０】
本実施形態に係る天板付家具１は、平面図を図１、正面図を図２、側面図を図３、図１におけるａ−ａ断面図を図４にそれぞれ示すように、幅方向に離間して１対設けられている脚構造体２と、脚構造体２間に横架して設けられているとともに、奥行き方向に離間して１対設けられている構造部材３と、前記脚構造体２に左右両端部を支持させているとともに、奥行き方向に離間して１対設けられている天板４とを具備するものである。また、前記１対の天板４を奥行き方向に離間させて設けた空間Ｓ１に電源ケーブル、通信ケーブル、デスクトップパネル等を配置して、天板付家具１全体としては、対向する２辺、すなわち奥行き方向両端をともに使用端として使用可能に構成している。なお、前記図４は要部を拡大して示している。なお、前記図１〜図４において、天板４は想像線により示している。
【００２１】
前記脚構造体２は、本実施形態ではその奥行き方向両端部に脚２１を有するとともに、前後の脚２１間を板状をなす接続部材２２で接続している門状をなす。そして、その上端部に天板受２３を設け、この天板受２３を介して下方から天板４の左右両端部を支持している。
【００２２】
前記構造部材３は、本実施形態ではアルミニウム押し出し成形により形成した中空の板状の部材であり、その左右両端を前記脚構造体２の接続部材２２に接続しているとともに、１対の構造部材３の板面は、互いに対向している。そして、他の構造部材に対向する側の板面には、第１内突条３１を押し出し成形により幅方向に延伸させて設けている。この第１内突条３１は高さ方向中央部に２本設けていて、前記板面から他の構造部材に向かう方向に突出する水平部３１ａと、この水平部の突出端から上方に突出する起立部３１ｂとを有する。さらに、他の構造部材に対向する側の板面の高さ方向両端には、前記板面を高さ方向に延長する方向に延伸する鉛直部３２ａと、前記鉛直部の突出端から他の構造部材から離反する方向に突出する水平部３２ｂとを有する第２内突条３２を設けている。一方、他の構造部材と離反する側の板面の高さ方向中間部にも、第１外突条３３を３本設けている。この第１外突条３３は、断面視Ｔ字状をなし、前記板面と平行をなす起立板部３３ｂと、前記起立板部の高さ方向中間部と前記板面とを接続する水平部３３ａとを有する。そして、他の構造部材と離反する側の板面の高さ方向両端には、前記板面を高さ方向に延長する方向に延伸する基部３４ａと、前記鉛直部の突出端から他の構造部材に向かう方向及び他の構造部材から離反する方向にそれぞれ突出させて設けた水平部３４ｂと、前記水平部の他の構造部材から離反する側の突出端から鉛直方向に突出させて設けた起立部３４ｃとを有する第２外突条３４を設けている。なお、この構造部材３の下端部に位置する第２内突条３２と、同じく構造部材３の下端部に位置する第２外突条３４との間の空間は、部材取付溝３ｍを形成している。この部材取付溝３ｍには、図示しない中間脚等のオプション部材をスライド挿入により取り付けることが可能である。加えて、前記第１外突条３２には、適宜図示しないオプション部材を掛止することが可能であるとともに、前記第１外突条３２間の空間にも飾り板などの図示しないオプション部材をスライド挿入により取り付けることが可能である。
【００２３】
前記天板４は、本実施形態では幅方向に延伸する矩形の板であり、他の天板４と離反する側の端縁を使用端としているとともに、反使用端、すなわち他の天板４と対向する側の端縁の奥行き方向位置を前記構造部材３と略一致させ、１対の天板の反使用端間に形成される空間にオプション部材を配置するようにしている。また、本実施形態では、幅方向適宜箇所に奥行き方向に延伸する天板補強部材４１を設けていて、この天板補強部材４１を前記構造部材３に接続するようにしている。
【００２４】
しかして本実施形態では、オプション部材たる配線ダクト９１をオプション取付部材たるダクト受け部材５を介して取り付けるべく、前記ダクト受け部材５を構造部材３間に高さ方向位置及び幅方向位置を変更可能に掛け渡して取り付けるようにしている。また、これもオプション部材たるデスクトップパネル９２をオプション取付部材たる上取付部材６１及び下取付部材６２を介して取り付けるべく、前記上取付部材６１及び下取付部材６２を構造部材３間に高さ方向位置及び幅方向位置を変更可能に掛け渡して取り付けるようにしている。また、これらダクト受け部材５、上取付部材６１、及び下取付部材６２の幅方向位置は連続的に変更可能にしている。
【００２５】
具体的には、上述したように前記構造部材３に第１内突条３１を押し出し成形により幅方向に延伸させて設けているとともに、前記ダクト受け部材５の奥行き方向両端部５ｘを第１内突条３１に凹凸係合させ、構造部材３間に掛け渡すようにしている。一方、上取付部材６１及び下取付部材６２の奥行き方向両端部６１ｘ、６２ｘは、構造部材３の第１内突条３１又は第２内突条３２に当設させて、構造部材３間に掛け渡すようにしている。すなわち、前記第１内突条３１及び第２内突条３２は請求項中の取付部としての機能を有する。
【００２６】
以下、オプション部材として配線ダクト９１を取り付ける態様について述べる。この配線ダクト９１は、本実施形態ではパンチング加工が施してあり、その幅方向両端部をオプション取付部材たるダクト受け部材５に支持させるようにして構造部材３間に取り付けるようにしている。前記ダクト受け部材５は、図５の（ａ）に平面図、（ｂ）に正面図、（ｃ）に側面図をそれぞれ示すように、下方に開口し、奥行き方向に延伸するチャネル状の部材であって、その奥行き方向両端部の高さ方向中央部に、前記構造部材３の第１内突条３１に凹凸係合可能な凹部５ａを設けているとともに、その長さを前記構造部材３間の離間距離と略同一にしている。そして、奥行き方向に対して傾斜させた状態から水平に回転させて前記凹部５ａを前記第１内突条３１に凹凸係合させて取り付けるようにしているが、その際に平面視隅部５ｘが前記構造部材３に突き当たって取り付けにくくなる不具合を防ぐべく、前記隅部５ｘに面取り加工を施している。また、このダクト受け部材５は、高さ方向に離間させて複数対設けることができる。すなわち、複数の配線ダクト９１を高さ方向に離間させて複数対設けることができる。
【００２７】
次に、オプション部材としてデスクトップパネル９２を取り付ける態様について、天板付家具１にデスクトップパネル９２を取り付けた状態の正面図である図６、同状態の側面図である図７、及び図６におけるｂ−ｂ断面図である図８を参照して述べる。このデスクトップパネル９２は、板状をなすパネル本体９２１の下端から、このデスクトップパネル９２を支持するパネル脚９２２を下方に突出させて設けている。そして、このパネル脚９２２を、前記構造部材３間に取り付けた上取付部材６１及び下取付部材６２を介して天板付家具１に取り付けるようにしている。なお、前記図６〜図８においても、天板４は想像線により示している。
【００２８】
さらに詳述すると、図９（ａ）に上取付具６１の平面図、（ｂ）に同正面図、（ｃ）に同側面図、（ｄ）に下取付具６２の平面図、（ｅ）に同正面図、（ｆ）に同側面図をそれぞれ示すように、前記上取付具６１は、板金加工により形成されるものであり、下方に開口する略直方体状をなしている一方、下取付具６２は、板金加工により形成されるものであり、上方に開口する略直方体状をなす本体６２１と、この本体６２１の上面に溶接等により固定して設けられる補強材６２２とを具備する。これら上取付具６１及び下取付具６２は、その奥行き方向両端部６１ｘ、６２ｘを前記第１内突条３１又は前記第２内突条３２のいずれかに当接させるようにしているとともに、上取付具６１と下取付具６２とを取付具連結ボルトＢ１により互いに固定している。すなわち、これら上取付具６１と下取付具６２とを、取付具連結ボルトＢ１の緊締力により相寄る方向に作用させて連結している。前記上取付具６１には、前記取付具連結ボルトＢ１を挿通させるボルト挿通孔６１ａ、及び前記パネル脚９２２を挿通させるパネル脚挿通孔６１ｂを設けている。一方、下取付具６２には、パネル脚９２２の下端を当接させるようにしているとともに、前記取付具連結ボルトＢ１をねじ止めする雌ねじ孔６２ａを設けている。そして、パネル固定ねじＢ２を下取付具６２の本体６２１及び前記補強材６２２に設けたボルト挿通孔６２ｃに挿通させてパネル脚９２２内部に設けた埋め込みナットＮにねじ止めし、このパネル固定ねじＢ２の緊締力によりデスクトップパネル９２と下取付具６２とを互いに固定している。なお、前記図８は要部を拡大して示している。また、下取付具６２の前記補強材６２２に設けたボルト挿通孔６２ｃは、本実施形態ではボルトの軸よりも径を大きくして、前記パネル脚９２２の外周面と略当接するパネル脚受け穴６２ｂとしている。なお、本実施形態では、前記下取付具６２は、前記構造部材３の第１内突条３１に当接させるタイプと前記構造部材３の第２内突条３２に当接させるタイプとを用意しているが、前記第２内突条３２の鉛直部３２ａの突出端から、水平部３２ｂを他の構造部材３に向かう方向にも突出させ、互いに対向する構造部材３の下端部に位置する前記第２内突条３２の水平部３２ｂの突出端間の距離を、互いに対向する構造部材３において、それぞれ同一の高さ位置にある第１内突条３１の起立部３１ｂの突出端間の距離と略一致させて、単一のタイプの下取付具６２を前記第１内突条３１間又は前記第２内突条３２間のいずれにも掛け渡すことができるようにしてもよい。このようにすれば単一のタイプの下取付具６２のみを用いてデスクトップ脚９２２の下端の高さ寸法を変更可能にできる。
【００２９】
さらに、本実施形態では、図示しない蓋体により、前記構造部材３間に形成される空間Ｓを天板４上方から隠蔽可能にしている。この蓋体には、配線を天板４上方から前記構造部材３間に形成される空間に挿通させる配線挿通口や前記パネル脚９２２を挿通させるパネル脚挿通孔を設けている。
【００３０】
以上のように、本発明に係るオプション取り付け構造では、オプション取付部材の幅方向位置及び高さ方向位置を変更可能に構成しているので、オプション部材たる配線ダクト９１やデスクトップパネル９２の幅方向位置及び高さ方向位置も変更することができ、種々の使用態様に容易に対応できる。
【００３１】
また、オプション取付部材を高さ方向に離間させて複数設けることができるので、上述したようにデスクトップパネル９２を上取付具６１及び下取付具６２を介して安定して取り付けることや、配線ダクト９１を上下２段に設けて上段に着脱を容易にしたいもの、下段に高さ寸法がかさばるものをそれぞれ配置すること等、オプション部材の使用態様により適した位置ないし構造を選択できる。
【００３２】
さらに、前記構造部材３が押し出し成形により形成された板状の部材であるので、構造部材３の製造及び取り付けを簡単に行えるとともに、オプション取付部材と係合ないし当接させる第１内突条３１の形成をも押し出し成形により簡単に行うことができる。加えて、構造部材３間に取り付ける前記オプション取付部材やオプション部材を目立たないようにして見栄えを整えることもできる。
【００３３】
特に、ダクト取付部材５の奥行き方向両端部に、前記第１内突条３１に凹凸係合可能な凹部５ａを設けているので、ダクト取付部材５を奥行き方向に対して傾斜させた状態から水平に回転させることにより、前記凹部５ａを前記第１内突条３１に凹凸係合させて取り付けるようにできる。すなわち、ダクト取付部材５の構造部材３への取り付けを、ねじ等の固定に用いるための特別な部材を行うことなく容易に行うことができる。
【００３４】
さらに、前記上取付具６１及び下取付具６２の奥行き方向両端部を前記構造部材３に当接させることにより該上取付具６１及び下取付具６２を構造部材３間に掛け渡して取り付けるようにしているので、所望の幅方向位置にデスクトップパネル９２を取り付けるべく上取付具６１及び下取付具６２の幅方向位置を設定できる。また、該デスクトップパネル９２の下端部を支持する下取付具６２の高さ方向位置を変更することにより該デスクトップパネル９２の高さ方向位置を変更することもできるようになる。
【００３５】
加えて、前記構造部材３間に、上取付具６１及び下取付具６２を高さ方向に離間させて取り付けるとともに、これら上取付具６１及び下取付具６２を互いに取付具連結ボルトＢ１の緊締力により相寄る方向に作用させて連結し、連結された前記上取付具６１及び下取付具６２を介してデスクトップパネル９２を取り付けるようにしているので、前記上取付具６１及び下取付具６２の取付強度が増し、デスクトップパネル９２をより安定して天板付家具１に取り付けることができる。
【００３６】
なお、本発明は上述した実施形態に限られない。
【００３７】
例えば、オプション部材としては、上述した実施形態において述べた配線ダクトやデスクトップパネルだけでなく、例えばペンケース、トレイ、照明器具、液晶ディスプレイ取付アーム等、種々のものを設けてもよい。また、配線ダクト、ペンケース、トレイ等、略水平な板状ないし上方に開口する箱状のオプション部材については、その奥行き方向両端部に係合部を設け、構造部材間に直接掛け渡して取り付けるようにしてもよい。一方、照明器具や液晶ディスプレイ取付アーム等、柱状をなす部材に支持させてなるオプション部材は、上述した実施形態における上取付部材６１と下取付部材６２との組を利用して取り付けるようにするとよい。
【００３８】
また、上述した実施形態において、上取付部材６１と下取付部材６２との組に替えて、高さ方向に離間して配置し、相寄る方向に作用させて連結した１対の配線ダクト９１を介してデスクトップパネル９２を取り付けるようにしてもよい。一方、上取付部材６１と下取付部材６２との組のうち、いずれか一方のみを前記配線ダクト９１に替えたものを採用してもよい。
【００３９】
さらに、構造部材として、脚構造体間にパイプを横架して複数対設けたものであっても、このパイプ間にオプション取付部材を掛け渡して取り付けるようにすれば、オプション部材を直接ないしオプション取付部材を介して幅方向位置及び高さ方向位置を変更可能に取り付けるようにすることができる。
【００４０】
加えて、図１０に示すように、デスクトップパネル９２を取り付けるための部材である上取付部材６１とデスクトップパネル９２を支持するパネル脚９２２との間にパネル脚固定部材６３を介在させるようにしてもよい。このパネル脚固定部材６３は、板状をなすベース６３１と、前記パネル脚９２２を挿通させるパイプ状をなす本体６３２とを備えている。このパネル脚固定部材６３の上取付部材６１への固定は、ベース６３１に設けたねじ挿通孔６３ａに図示しないねじを挿通させて前記上取付部材６１に設けた雌ねじ孔６１ｃにねじ止めすることにより行うようにしている。一方、パネル脚９２２のパネル脚固定部材６３への固定は、パネル脚固定部材６３の本体６３２に設けたねじ挿通孔６３ｂに図示しないねじを挿通させて前記パネル脚９２２に高さ方向に離間させて設けた複数の雌ねじ孔９２２ａのうち１つに選択的にねじ止めすることにより行うようにしている。
【００４１】
そして、天板付家具だけでなく、例えば間仕切部材を、脚構造体間に１対の構造部材を横架して設けているとともに、この構造体間にオプション取付部材を介してオプション部材たる間仕切パネルを取り付けるようにし、さらに前記構造体間の空間に配線ダクト等他のオプション部材を取り付け可能であるように構成する等、他の家具に本発明に係るオプション取付構造を採用してもよい。
【００４２】
その他、本発明の趣旨を損ねない範囲で種々に変更してよい。
【００４３】
【発明の効果】
本発明に係るオプション取付構造は、オプション取付部材を高さ方向位置及び幅方向位置を変更可能に掛け渡して取り付けることにより、オプション部材もまた、十分な取付強度を保ちつつ高さ方向位置及び幅方向位置を変更可能にできる。すなわち、オプション部材の配置の自由度の向上を図ることができる。
【図面の簡単な説明】
【図１】本発明の一実施形態に係る天板付家具に配線ダクトを取り付けた状態の平面図。
【図２】同実施形態に係る天板付家具に配線ダクトを取り付けた状態の正面図。
【図３】同実施形態に係る天板付家具に配線ダクトを取り付けた状態の側面図。
【図４】図１におけるａ−ａ断面図。
【図５】同実施形態に係るダクト取付部材を示す図。
【図６】同実施形態に係る天板付家具にデスクトップパネルを取り付けた状態の正面図。
【図７】同実施形態に係る天板付家具にデスクトップパネルを取り付けた状態の側面図。
【図８】図６におけるｂ−ｂ断面図。
【図９】同実施形態に係る上取付部材及び下取付部材を示す図。
【図１０】本発明の他の実施形態に係るデスクトップパネルの家具への取付態様を示す図。
【符号の説明】
１…天板付家具
２…脚構造体
３…構造部材
３１…第１内突条（取付部）
３２…第２内突条（取付部）
４…天板
５…ダクト受け部材（オプション取付部材）
５ａ…凹部
６１…上取付具（オプション取付部材）
６２…下取付具（オプション取付部材）
９１…配線ダクト（オプション部材）
９２…デスクトップパネル（オプション部材）
【図１】
2004267653.tif 000003
【図２】
2004267653.tif 000004
【図３】
2004267653.tif 000005
【図４】
2004267653.tif 000006
【図５】
2004267653.tif 000007
【図６】
2004267653.tif 000008
【図７】
2004267653.tif 000009
【図８】
2004267653.tif 000010
【図９】
2004267653.tif 000011
【図１０】
2004267653.tif 000012